(57)【特許請求の範囲】
【請求項１】
電源と負荷との間に配置されて電源と負荷とをヒューズを介して接続すると共に、前記ヒューズを外すことで電源と負荷とを遮断する電源遮断装置であって、  固定側ボックスと、ヒューズが収納・保持されると共に固定側ボックスに着脱自在に形成されて固定側ボックスからの離脱状態で前記ヒューズを前記電源と負荷との間から外して電源と負荷とを遮断するヒューズ支持ボックスと、前記ヒューズ支持ボックスの前記固定側ボックスへの装着時に前記ヒューズの両端子部を前記固定側ボックスの電源接続部分及び負荷接続部分へそれぞれ案内するとともに、各端子部の移動を規制する案内規制手段からなり、
前記固定側ボックスが、固定ハウジングと、負荷側に接続される負荷側端子部が一端に設けられヒューズの一方の端子部が接続されるとともに前記固定ハウジングに保持された弾性接続部が他端に設けられた負荷側ブスバーと、電源側に接続される電源側端子部が一端に設けられヒューズの他方の端子部が接続され
るとともに前記固定ハウジングに保持された弾性接続部が他端に設けられた電源側ブスバーとで形成され、
前記ヒューズ支持ボックスが、固定側ボックスに対して着脱自在な支持ボックス本体と、この支持ボックス本体の内部に設けられてヒューズが収納・保持されるヒューズ固定部とからなり、
前記案内規制手段が、前記固定ハウジングに一体に設けられて前記ヒューズが収納・保持される収容部を形成する隔壁と、前記収容部の両側の隔壁にそれぞれ設けられたスリットで形成され、該スリット内を前記ヒューズの両端子部がそれぞれ挿通することで前記ヒューズの各端子部が前記各弾性接続部に接続され、固定側ボックスの装着状態で前記ヒューズの一方の端子部が負荷側ブスバーの弾性接続部に接続され、前記ヒューズの他方の端子部が電源側ブスバーの弾性接続部に接続され、前記固定側ボックスからの離脱状態で前記ヒューズの一方の端子部と負荷側ブスバーの弾性接続部との接続状態が解除され、前記ヒューズの他方の端子部と電源側ブスバーの弾性接続部との接続状態が解除され、前記案内規制手段が、前記ヒューズの各端子部の各弾性接続部への接続を案内するとともに、各端子部の各弾性接続部への接続状態で前記ヒューズの各端子部の移動を規制することを特徴とする電源遮断装置。
【請求項２】
請求項１記載の電源遮断装置であって、前記固定側ボックスに装着された状態で前記ヒューズ支持ボックスの外周側に位置して前記ヒューズ支持ボックスの変形を規制するガイドリブを前記固定ハウジングに一体に設けたことを特徴とする電源遮断装置。
【請求項３】
請求項１又は請求項２記載の電源遮断装置であって、前記ヒューズ支持ボックスの長手方向の両側に回動自在に取り付けられたレバーロックと、前記固定ハウジングに設けられて前記レバーロックが回動係止される係止突起とからなるロック手段を有することを特徴とする電源遮断装置。
【発明の詳細な説明】
【０００１】
【発明の属する技術分野】
本発明は、電源と負荷との間に配置されて、電源と負荷とをヒューズを介して接続すると共に、ヒューズを外すことで電源と負荷とを遮断する電源遮断装置に係り、特に、電気自動車の電源側に取り付けられて負荷との間を電気的に遮断するのに好適な電源遮断装置に関する。
【０００２】
【従来の技術】
図５及び図６は、電気自動車等に用いられて電源（バッテリ）と負荷（駆動用モータ等）側とを電気的に遮断可能な電源遮断装置１を示す。この電源遮断装置１は、絶縁体で形成されたハウジング２内に所定の間隔で配置された一対の端子３、３が収納されている。これらの一対の端子３、３には、電線４、４の端末が接続されており、電線４、４はハウジング２の外方へ引き出されている。また、ハウジング２の上方は開口されており、この開口は、ハウジング２の一側に回動自在に連結されたカバー５で開閉自在となっている。カバー５の裏面側には、ヒューズ６がバンド７により固定されている。
【０００３】
そして、ハウジング２の開口をカバー５で閉鎖した状態では、ヒューズ６の端子部８、８がハウジング２内の端子３、３と接続される。この状態では、端子３、３がヒューズ６を介して接続され、電線４、４が導通される。
【０００４】
また、カバー５を開放することにより、ヒューズ６の端子部８、８が端子３、３から外れて接続状態が解除されて、端子３、３間が遮断され、電線４、４間が確実に遮断される。
【０００５】
このような電源遮断装置を電気自動車等に用いることにより、回路点検やヒューズ交換等の整備作業を行う際に、カバー５を開放することで電源側と負荷側とを確実に遮断することができて、安全を確保することができる。
【０００６】
【発明が解決しようとする課題】
ところが、上記のような構造の電源遮断装置では、ハウジング２に対して回動するカバー５の裏面側にヒューズ６が固定されているため、ヒューズ６の端子部８、８を、ハウジング２内の端子３、３に適正に接続をさせることができない。このため、カバー５の裏面側にヒューズ６を固定する場合、正確な位置決めが必要となり、ヒューズ６の交換作業時に多大な注意と手間とを要するという問題がある。
【０００７】
この問題を解決するため、本出願人は、図７に示すように、レバー１０に設けた雄端子１１、１１に、ヒューズ１２の端子部１３、１３をねじ止め固定し、レバー１０をボックス部１４に対して位置決め嵌合させることで、雄端子１１、１１をボックス部１４内の雌端子１５、１５に接続する構成の電源遮断装置１６を提案している（特開平１０−８３７５３号）。
【０００８】
この電源遮断装置１６では、レバー１０がボックス部１４に対して位置決めされることで、雄端子１１と雌端子１５とが適正な接続状態となり、しかも、ヒューズ１２の端子部１３を雄端子１１にねじ止め固定するだけ良いので、ヒューズ１２の交換作業時に多大な注意と手間を必要としない。
【０００９】
しかしながら、上記電源遮断装置１６は、レバー１０の下部側をボックス部１４の所定の位置に嵌合させるための構造や、ボックス部１４内の所定の位置に雌端子１５を固定するための構造、レバー１０にヒューズ１２の端子部１３をねじ止め固定するための構造が必要なので全体として複雑な構造となり、部品点数も多いという問題を有している。
【００１０】
そこで、本発明は、ヒューズの交換作業が容易で、部品点数が少なく、簡単な構造の電源遮断装置の提供を目的とする。
【００１１】
【課題を解決するための手段】
上記目的を達成するため、請求項１の発明は、電源と負荷との間に配置されて電源と負荷とをヒューズを介して接続すると共に、前記ヒューズを外すことで電源と負荷とを遮断する電源遮断装置であって、  固定側ボックスと、ヒューズが収納・保持されると共に固定側ボックスに着脱自在に形成されて固定側ボックス（２１）からの離脱状態で前記ヒューズを前記電源と負荷との間から外して電源と負荷とを遮断するヒューズ支持ボックスと、前記ヒューズ支持ボックスの前記固定側ボックスへの装着時に前記ヒューズの両端子部を前記固定側ボックスの電源接続部分及び負荷接続部分へそれぞれ案内するとともに、各端子部の移動を規制する案内規制手段からなり、前記固定側ボックスが、固定ハウジングと、負荷側に接続される負荷側端子部が一端に設けられヒューズの一方の端子部が接続されるとともに前記固定ハウジングに保持された弾性接続部が他端に設けられた負荷側ブスバーと、電源側に接続される電源側端子部が一端に設けられヒューズの他方の端子部が接続されるとともに前記固定ハウジングに保持された弾性接続部が他端に設けられた電源側ブスバーとで形成され、前記ヒューズ支持ボックスが、固定側ボックスに対して着脱自在な支持ボックス本体と、この支持ボックス本体の内部に設けられてヒューズが収納・保持されるヒューズ固定部とからなり、
前記案内規制手段が、前記固定ハウジングに一体に設けられて前記ヒューズが収納・保持される収容部を形成する隔壁と、前記収容部の両側の隔壁にそれぞれ設けられたスリットで形成され、該スリット内を前記ヒューズの両端子部がそれぞれ挿通することで前記ヒューズの各端子部が前記各弾性接続部に接続され、固定側ボックスの装着状態で前記ヒューズの一方の端子部が負荷側ブスバーの弾性接続部に接続され、前記ヒューズの他方の端子部が電源側ブスバーの弾性接続部に接続され、前記固定側ボックスからの離脱状態で前記ヒューズの一方の端子部と負荷側ブスバーの弾性接続部との接続状態が解除され、前記ヒューズの他方の端子部と電源側ブスバーの弾性接続部との接続状態が解除され、前記案内規制手段が、前記ヒューズの各端子部の各弾性接続部への接続を案内するとともに、各端子部の各弾性接続部への接続状態で前記ヒューズの各端子部の移動を規制することを特徴とする。
【００１２】
この電源遮断装置によれば、ヒューズの端子部を、負荷側のブスバー及び電源側のブスバーの各弾性接続部に直接接続する構造としたことで、部品点数が低減される。また、案内規制手段により、ヒューズの端子部が各弾性接続部へ案内されると共に、接続状態でのヒューズの端子部の移動を規制するので、ヒューズの位置決めを容易に行うことができる。さらに、ボックス本体のヒューズ固定部にヒューズを固定する際に、多少位置ズレが生じていても、ヒューズ支持ボックスの固定側ボックスへの装着時に、案内規制手段によって位置決めされるので、ヒューズの交換を容易に行うことができる。
【００１４】
この電源遮断装置では、ヒューズ支持ボックスを固定側ボックスに装着すると、ヒューズ固定部に固定されたヒューズの両側の端子部が、スリット内に挿通されて、各弾性接続部に案内される。そして、各端子部が各弾性接続部に接続された状態では、端子部の移動がスリットの内壁により規制される。
【００１５】
請求項２の発明は、請求項１記載の電源遮断装置であって、前記固定側ボックスに装着された状態で前記ヒューズ支持ボックスの外周側に位置して前記ヒューズ支持ボックスの変形を規制するガイドリブを前記固定ハウジングに一体に設けたことを特徴とする。
【００１６】
この電源遮断装置では、ガイドリブを設けたことにより、固定側ボックスにヒューズ支持ボックスを装着する際にヒューズ支持ボックスの外周が案内されるので、固定側ボックスにヒューズ支持ボックスを容易に装着することができる。また、固定ボックスにヒューズ支持ボックスが装着されてヒューズの端子部が各弾性接続部に接続された状態から、ヒューズ支持ボックスを固定ボックスから離脱し、ヒューズの端子部と各弾性接続部との接続状態を解除すると、端子部が弾性接続部の弾性力により接続されているので、抵抗力となり、ヒューズ支持ボックスからヒューズが外れようとしてヒューズ支持ボックスが撓み変形しようとする。このとき、固定ハウジングに一体に設けたガイドリブがヒューズ支持ボックスの変形を規制することで、ヒューズ支持ボックスからのヒューズ脱落が防止され、ヒューズの端子部を弾性接続部から離脱することができる。
【００１７】
請求項３の発明は、請求項１又は請求項２記載の電源遮断装置であって、前記ヒューズ支持ボックスの長手方向の両側に回動自在に取り付けられたレバーロックと、前記固定ハウジングに設けられて前記レバーロックが回動係止される係止突起とからなるロック手段を有することを特徴とする。
【００１８】
この電源遮断装置では、ヒューズ支持ボックスを固定側ボックスに装着した状態で、レバーロックを回動させて係止突起に係止することで、装着状態が保持される。ヒューズ支持ボックスを固定側ボックスから離脱する場合には、レバーロックの係止突起への係止状態を解除し、ヒューズ支持ボックスを固定側ボックスから外すことで容易に行うことができる。
【００１９】
この場合、レバーロックがヒューズ支持ボックスの長手方向の両側に回動自在に取り付けられていることにより、電源遮断装置の周囲のスペース効率が向上する。
【００２０】
【発明の実施の形態】
以下、本発明に係る電源遮断装置の実施形態について説明する。図１は、実施形態に係る電源遮断装置２０を示す斜視図、図２は、断面図である。
【００２１】
図１及び図２に示すように、電源遮断装置２０は、電源側に固定される固定側ボックス２１と、大電流用のヒューズ２２が収納・保持される共に固定側ボックス２１に着脱自在なヒューズ支持ボックス２３とで構成されている。また、本実施形態の電源遮断装置２０は、ヒューズ支持ボックス２３の固定側ボックス２１への装着時にヒューズ２２の両端子部２４、２４を固定側ボックス２１の電源接続部分及び負荷接続部分へそれぞれ案内するとともに、各端子部２４、２４の移動を規制する案内規制手段２５とを有している。
【００２２】
そして、この電源遮断装置２０は、電源と負荷（いずれも不図示）との間に配置されて電源と負荷とをヒューズ２２を介して接続すると共に、ヒューズ２２を外すことで電源と負荷とを遮断する。
【００２３】
上記固定側ボックス２１は、図３にも示すように、長尺状の固定ハウジング２６と、この固定ハウジング２６に組み付けられた負荷側ブスバー２７及び、電源側ブスバー２８とで形成されている。固定ハウジング２６の長手方向の両側部には、電源（バッテリ）への固定部２９、２９がそれぞれ形成され、固定部２９、２９間には板状の支持壁部３０が一体に設けられている。この支持壁３０からは、固定部２９、２９側にそれぞれ縦壁３１、３１が突設され、これらの縦壁３１、３１間であって、支持壁部３０の一面側に、ヒューズ装着部３２が設けられている。
【００２４】
ヒューズ装着部３２には、ヒューズ２２の本体部３３が収容される空間を形成する隔壁３４が支持壁部３０と一体に形成されている。この隔壁３４は、支持壁部３０と所定の間をあけて設けられた基板部３５と、この基板部３５の両側部から縦壁３１、３１と同方向に延設された軸方向規制壁３６、３６と、これらの軸方向規制壁３６、３６から延設されて支持壁部３０とほぼ平行に設けられた挿入壁部３７、３７と、挿入壁部３７、３７から支持壁部３０側に向けて延設されて軸方向規制壁３６、３６とほぼ平行に設けられ上記支持壁部３０と連結された側壁３８、３８とで形成されている。
【００２５】
そして、基板部３５と軸方向規制壁３６、３６とでヒューズ２２の本体部３３が収容される収容部３９が形成され、この収容部３９の両側に、支持壁部３０と、軸方向規制壁３６、３６、挿入壁部３７、３７、側壁３８、３８とで矩形状の端子部収納部４０、４０がそれぞれ形成されている。また、軸方向規制壁３６、３６、挿入壁部３７、３７には、連続するガイド用スリット４１、４１が形成されている。これらのガイド用スリット４１、４１の幅寸法は、ヒューズ２２の本体部３３の両側に設けられた板状のヒューズ端子部２４、２４が挿入可能な幅寸法に設定されている。
【００２６】
また、一方の側壁３８と縦壁３１との間には、コネクタ部５６が一体に設けられている。このコネクタ部５６の一面側と一方の縦壁３１との間及びコネクタ部５６の他面側と一方の側壁３８との間には、垂直挿入部４４ａ、４４ｂがそれぞれ形成されている。また、他方の側壁３８と他方の縦壁３１との間にも垂直挿入部４４ｃが形成されている。
【００２７】
このコネクタ部５６には、内部に端子収容室５７が形成されて雌端子５８が収容されている。この雌端子５８には、後述するヒューズ支持ボックス２３内の雄端子５９が接続される
さらに、端子部収納部４０、４０の下部側には、支持壁部３０から板状のガイドリブ４２、４２がそれぞれ突設されている。これらのガイドリブ４２、４２の上面と、隔壁３４の下側面との間には、水平挿入部４３、４３がそれぞれ形成されている。上記垂直挿入部４４ａ、４４ｂ、４４ｃ、水平挿入部４３、４３には、後述するヒューズ支持ボックス２３の側壁６６、仕切壁６３、ガイド壁７３、７３が挿入される。
【００２８】
上記負荷側ブスバー２７は、ブスバー本体４６と、負荷側の端子（図３（ｂ）参照）４７とねじ止め接続される板状の端子部４８と、ヒューズ２２の一方の端子部２４と接続される弾性接続部４９とで形成されている。端子部４８は、収容部３９の下部側に突出され、ブスバー本体４６は支持壁部３０と基板部３５との間に配置され、弾性接続部４９は端子部収納部４０に配置されている。
【００２９】
弾性接続部４９は、一対の弾性片５０、５０を有しており、これらの一対の弾性片５０、５０間は、軸方向規制壁３６から挿入壁部３７にかけて設けられたガイド用スリット４１に対応している。これにより、スリット４１内を挿通したヒューズ２２の一方の端子部２４が、一対の弾性片４９、４９間に挿入されて弾性的に挟持され電気的に接続される。この場合、ヒューズ２２の端子部２４、２４は、挿入壁部３７側のスリット４１、４１の開口から端子部挿入部４０、４０内に挿入される。
【００３０】
電源側ブスバー２８は、負荷側ブスバー２７と左右対称形状に形成され、ブスバー本体５１と、電源側の端子（図３（ｂ）参照）５２とねじ止め固定される板状の端子部５３と、ヒューズ２２の他方の端子部２４と接続される弾性接続部５４とで形成されている。端子部５３は、上記負荷側ブスバー２７の端子部２４と略平行に収容部３９の下部側に突出され、ブスバー本体５１は支持壁部３０と基板部３５との間に配置され、弾性接続部５４は端子部収納部４０に配置されている。
【００３１】
弾性接続部５４は、上記負荷側ブスバー２７と同様に、一対の弾性片５５、５５を有しており、これらの一対の弾性片５５、５５間は、軸方向規制壁３６から挿入壁部３７にかけて設けられたガイド用スリット４１に対応している。これにより、スリット４１内を挿通したヒューズ２２の他方の端子部２４が、一対の弾性片５５、５５間に挿入されて弾性的に挟持され電気的に接続される。
【００３２】
従って、ヒューズ支持ボックス２３を固定側ボックス２１に装着すれば、ヒューズ２２を介して、負荷側ブスバー２７と電源側ブスバー２８とが電気的に接続され、負荷がヒューズ２２を介して電源と接続される。
【００３３】
ヒューズ支持ボックス２３は、一側が開口された支持ボックス本体６０と、この支持ボックス本体６０の内部に設けられてヒューズ２２が収納・保持されるヒューズ固定部６１とからなる。支持ボックス本体６０の内部は、略中央部分が幅広の空間に形成され、その両側が幅狭の空間に形成されている。幅広の空間の長手方向の両側には、図４（ａ）、（ｂ）に示すように、止め壁６２、６２が設けられている。これらの止め壁６２、６２間に、ヒューズ２２の本体部３３が挿入される。
【００３４】
また、幅広の空間の幅方向の両内壁６４、６４には、止め突起６５、６５、６５、６５がそれぞれ形成されている。これらの止め突起６５、６５、６５、６５は、表面側がヒューズ２２の本体部３３の外周形状に倣って弧状に形成されている。このため、止め壁６２、６２間に挿入されたヒューズ２２の本体部３３が止め突起６５、６５、６５、６５によって保持されるようになっている。
【００３５】
なお、ヒューズ２２を止め壁６２、６２間から抜き出す方向に力を加えることで、支持ボックス本体６０の内壁６４、６４が幅方向の外側にに撓み、本体部３３が開口側の止め突起６５、６５を乗り越えることができ、ヒューズ２２をヒューズ支持ボックス２３内から抜き出すことができる。
【００３６】
止め壁６２、６２の外側には、支持ボックス本体６０の両側壁６６、６６との間に、端子部挿入部６７、６７がそれぞれ設けられている。また、一方の端子部挿入部６７に隣接して、仕切壁６３が設けられ、この仕切壁６３と一方の側壁６６とでフード部６８が形成されている。このフード部６８内には、雄端子６９が突出している。そして、固定側ボックス２１にヒューズ支持ボックス２３を装着した際に、コネクタ部５６が挿入嵌合され、コネクタ部５６に収容された雌端子５８とフード部７８の雄端子６９とが接続される。この雌端子５８と雄端子６９との接続により、固定側ボックス２１にヒューズ支持ボックス２３が装着されたことが電気的に検知される。
【００３７】
さらに、ヒューズ支持ボックス２３の長手方向の両側部には、レバーロック７０、７０が回動自在にそれぞれ設けられている。このレバーロック７０、７０は、線材を六角形に折曲形成されており、伸縮自在となっている。一方、固定側ボックス２１の縦壁３１には、係止突起７１が設けられている。これらのレバーロック７０と係止突起７１とでロック手段を構成している。
【００３８】
そして、固定側ボックス２１にヒューズ支持ボックス２３を装着した後に、支持壁部３０側へ回動させて、縦壁３１に設けられた係止突起７１に係合させることにより、固定側ボックス２１へのヒューズ支持ボックス２３の装着状態が保持される。
【００３９】
また、ヒューズ支持ボックス２３には、下部側に向けて平板状のカバー部７２が一体に設けられている。このカバー部７２は、固定側ボックス２１がヒューズ支持ボックス２３に装着されると、軸方向規制壁３６、３６間に挿入され、負荷側ブスバー２７及び電源側ブスバー２８の各端子４７、５２の前面側を覆う。
【００４０】
次に、固定側ボックス２１に、ヒューズ２２が収容保持されているヒューズ支持ボックス２３を装着するには、支持ボックス本体６０の内壁６４の一側をガイドリブ４２と挿入壁部３７との間の水平挿入部４３内に、縦壁３１と側壁３８との間の垂直挿入部４４に挿入するとともに、他側をガイドリブ４２と挿入壁部３７との間の水平挿入部４３内に、縦壁３１とコネクタ部５６との間の垂直挿入部４４内にそれぞれ挿入する。
【００４１】
支持ボックス本体６０の内壁６４の両側部を垂直挿入部４４、水平挿入部４３内にそれぞれ挿入すると、ヒューズ２２の本体部３３が収容部３９内に挿入され、端子部２４、２４がそれぞれガイド用スリット４１、４１を挿通し、負荷側ブスバー２７の一対の弾性片５０に弾性挟持され、電源側ブスバー２８の一対の弾性片５５間に弾性挟持される。
【００４２】
そして、レバーロック７０を回動させて、係止突起７１係合させることによりヒューズ支持ボックス２３が固定側ボックス２１に装着・保持される。この状態では、負荷側ブスバー２７と、電源側ブスバー２８とがヒューズ２２を介して接続され、負荷が電源と電気的に接続される。
【００４３】
また、ヒューズ支持ボックス２３が固定側ボックス２１に装着・保持されている状態からヒューズ支持ボックス２３を外す場合には、レバーロック７０を回動させて係止突起７１への係合状態を解除した後に、支持ボックス本体６０を固定ハウジング２６から離れる方向へ引き出す。これにより、ヒューズ支持ボックス２３を固定側ボックス２１から外すことができ、負荷側ブスバー２７と電源側ブスバー２８とを遮断することができる。
【００４４】
本実施形態の電源遮断装置によれば、ヒューズ２２の端子部２４、２４を、負荷側ブスバー２７及び電源側ブスバー２８の各弾性接続部４９、５４にそれぞれ直接接続する構造としたことで、部品点数の低減ができ、コストを低減することができる。
【００４５】
また、案内規制手段２５により、ヒューズ２２の端子部２４、２４が各弾性接続部４９、５４へ案内されると共に、接続状態でのヒューズ２２の端子部２４の移動を規制するので、ヒューズ２２の位置決めを容易に行うことができる。
【００４６】
さらに、ヒューズ支持ボックス２３の固定側ボックス２１への装着時に、案内規制手段２５によって位置決めされるので、ヒューズを適正位置へ容易に位置決め固定することができる。
【００４７】
また、固定側ボックス２１にヒューズ支持ボックス２３が装着されてヒューズ２２の端子部２４が各弾性接続部４９、５４に接続された状態から、ヒューズ支持ボックス２３を固定側ボックス２１から離脱し、ヒューズ２２の端子部２４と各弾性接続部４９、５４との接続状態を解除すると、端子部２４、２４が弾性接続部の弾性力により接続されているので、抵抗力となり、ヒューズ支持ボックスが撓み変形しようとする。このとき、固定ハウジング２６に一体に設けたガイドリブ４２がヒューズ支持ボックス２３の変形を規制することで、ヒューズ支持ボックス２３からのヒューズ２２の脱落が防止され、ヒューズ２２の端子部２４を弾性接続部４９、５４から離脱することができる。
【００４８】
さらにまた、ヒューズ支持ボックス２３を固定側ボックス２１に装着した状態で、レバーロック７０を回動させて係止突起７１に係止することで、装着状態が保持される。ヒューズ支持ボックス２３を固定側ボックス２１から離脱する場合には、レバーロック７０の係止突起７１への係止状態を解除し、ヒューズ支持ボックス２３を固定側ボックス２１から外すことで容易に行うことができる。
【００４９】
この場合、レバーロック７０がヒューズ支持ボックス２３の長手方向に両側に回動自在に取り付けられていることにより、電源遮断装置２０の周囲のスペース効率が向上する。
【００５０】
【発明の効果】
以上説明したように請求項１の発明によれば、ヒューズの端子部を、負荷側のブスバー及び電源側のブスバーの各弾性接続部に直接接続する構造としたことで、部品点数を低減することができる。
【００５１】
また、案内規制手段により、ヒューズの端子部が各弾性接続部へ案内されると共に、接続状態でのヒューズの端子部の移動を規制するので、位置決めを容易に行うことができる。
【００５２】
さらに、ボックス本体のヒューズ固定部にヒューズを固定する際に、多少位置ズレが生じていても、ヒューズ支持ボックスの固定側ボックスへの装着時に、案内規制手段によって位置決めされるので、ヒューズを適正位置へ容易に位置決め固定することができる。
【００５３】
また、ヒューズ支持ボックスを固定側ボックスに装着すると、ヒューズ固定部に固定されたヒューズの両側の端子部が、スリット内に挿通されて、各弾性接続部に案内されるので、装着作業が容易になる。
【００５４】
また、各端子部が各弾性接続部に接続された状態では、端子部の移動がスリットの内壁により規制されるので、ヒューズのがたつきを抑制することができる。
【００５５】
請求項２の発明によれば、ヒューズ支持ボックスを固定ボックスから離脱し、ヒューズの端子部と各弾性接続部との接続状態を解除すると、端子部が弾性接続部の弾性力により接続されているので、抵抗力となり、ヒューズ支持ボックスが撓み変形しようとするが、固定ハウジングに一体に設けたガイドリブがヒューズ支持ボックスの変形を規制することで、ヒューズ支持ボックスからのヒューズ脱落が防止され、ヒューズの端子部を弾性接続部から離脱することができる。
【００５６】
請求項３の発明によれば、ヒューズ支持ボックスを固定側ボックスに装着した状態で、レバーロックを回動させて係止突起に係止することで、装着状態が保持される。ヒューズ支持ボックスを固定側ボックスから離脱する場合には、レバーロックの係止突起への係止状態を解除し、ヒューズ支持ボックスを固定側ボックスから外すことで容易に行うことができる。
【００５７】
この場合、レバーロックがヒューズ支持ボックスの長手方向に両側に回動自在に取り付けられていることにより、電源遮断装置の周囲のスペース効率が向上する。
【図面の簡単な説明】
【図１】本発明の実施形態の電源遮断装置を示す斜視図である。
【図２】本発明の実施形態の電源遮断装置を示す断面図である。
【図３】固定側ボックスを示し、（ａ）は平面図、（ｂ）は正面図である。
【図４】ヒューズ支持ボックスを示し、（ａ）は正面図、（ｂ）は断面図である。
【図５】従来の電源遮断装置の内部を示す断面図である。
【図６】従来の電源遮断装置の作動を示す断面図である。
【図７】従来の他の構造の電源遮断装置を示す断面図である。
【符号の説明】
２０  電源遮断装置
２１  固定側ボックス
２２  ヒューズ
２３  ヒューズ支持ボックス
２４  端子部
２５  案内規制手段
２６  固定ハウジング
２７  負荷側ブスバー
２８  電源側ブスバー
４７  負荷側の端子
４９、５４  弾性接続部
５２  電源側の端子
６０  支持ボックス本体
６１  ヒューズ固定部
【図１】
0003566573.tif 000002
【図２】
0003566573.tif 000003
【図３】
0003566573.tif 000004
【図４】
0003566573.tif 000005
【図５】
0003566573.tif 000006
【図６】
0003566573.tif 000007
【図７】
0003566573.tif 000008